(57)【要約】【課題】保持具にワイヤーの他端を差し込むのみでロックでき、外す時はロック解除具（ボールベアリング）を押してスライド体を移動させるだけで簡単に外せ、少量から大量まで対応でき、かつキーや工具等多目的に使用できる吊り下げホルダーを提供する。【解決手段】ワイヤーの一端を固着してなる中空状のホルダー本体内に、中心にワイヤー差込孔を設けたスライド体のワイヤー差込孔にワイヤーを貫通して差し込み、このワイヤーの外周を掴んでロックするロック機能を有する保持具を設けると共に、スライド体を外部より移動させるためのロック解除具を設けてなることを特徴とする。【選択図】  図１
2004275679.tif 000002
【特許請求の範囲】
【請求項１】
ワイヤーの一端を固着してなる中空状のホルダー本体内に、中心にワイヤー差込孔を設けたスライド体のワイヤー差込孔にワイヤーを貫通して差し込み、このワイヤーの外周を掴んでロックするロック機能を有する保持具を設けると共に、スライド体を外部より移動させるためのロック解除具を設けてなることを特徴とする吊り下げホルダー。
【請求項２】
スライド体の頭部をテーパー状に形成することを特徴とする請求項１記載の吊り下げホルダー。
【請求項３】
ロック解除具がボールベアリングであることを特徴とする請求項１又は２記載の吊り下げホルダー。
【請求項４】
ホルダー本体にベルト通し等に取り付けるための取付部を設けてなる請求項１、２又は３記載の吊り下げホルダー。
【請求項５】
中空状のホルダー本体が適宜な長さを有する筒体であることを特徴とする請求項１、２、３又は４記載の吊り下げホルダー。
【発明の詳細な説明】
【０００１】
【発明の属する技術分野】
本発明は、キーや工具等をベルト通し等に吊り下げ、簡単・確実に持ち歩くことができる吊り下げホルダーに関するものである。
【０００２】
【従来の技術】
従来の技術としては、ワイヤーの一端を固着してなる中空状のホルダー本体内に、中心にワイヤー差込孔を設けたスライド体のワイヤー差込孔にワイヤーを貫通して差し込み、このワイヤーの外周を掴んでロックするロック機能を有する保持具を設けると共に、スライド体を外部より移動させるための窓を設けてなることを特徴とする吊り下げホルダーがある。（特許文献１参照）
【０００３】
【特許文献１】
特開２００３−３５０５６号公報（請求項１、図１）
【０００４】
【発明が解決しようとする課題】
しかしながら、上記のような構造では、爪楊枝・釘・ペン等の小道具が必要となり、周囲に適当なものがない場合、使用できにくいという問題がある。
本発明は、上記問題点に鑑みなされたもので、その目的は、保持具にワイヤーの他端を差し込むのみでロックでき、外す時はロック解除具（ボールベアリング）を押してスライド体を移動させるだけで簡単に外せ、少量から大量まで対応でき、かつキーや工具等多目的に使用できる吊り下げホルダーを提供することである。
【０００５】
【課題を解決するための手段】
課題を解決するための手段として、ワイヤーの一端を固着してなる中空状のホルダー本体内に、中心にワイヤー差込孔を設けたスライド体のワイヤー差込孔にワイヤーを貫通して差し込み、このワイヤーの外周を掴んでロックするロック機能を有する保持具を設けると共に、スライド体を外部より移動させるためのロック解除具を設けてなること。また、スライド体の頭部をテーパー状に形成する。さらに、ロック解除具がボールベアリングである。さらにまた、ホルダー本体にベルト通し等に取り付けるための取付部を設けてなる。その上、中空状のホルダー本体が適宜な長さを有する筒体であることを特徴とする。
【０００６】
【発明の実施の形態】
以下、この発明の実施例を図面に基づいて詳細に説明する。
吊り下げホルダー１は、ワイヤー２の一端を下端外周に固着してなる適宜な長さ（２ｃｍ〜６ｃｍ位）を有する筒体による中空状のホルダー本体Ａ内下部に、挿入孔３ａ１を設けると共に、中空部３ａ２の先端方向にテーパー内面３ａ３を形成してなる中空体３内に、中心にワイヤー差込孔４ａを設け、ベアリング４ｂ−−（この実施例の場合３個）を保持する保持片４ｃ・４ｃを前後に形成すると共に、圧縮スプリング４ｄを設けた頭部４ｅをテーパー状に形成したスライド体４を内設してなるワイヤー２の外周を掴んでロックするロック機能を有する保持具５を設けると共に、スライド体４を移動させるためのボールベアリングによるロック解除具Ａ１を中空状のホルダー本体Ａのスライド体４の頭部４ｅに対向する位置に押え枠Ａ２にて押えて設けてなるもので、中空状のホルダー本体Ａの上端にベルト通しＢＴ等に係止して取り付けるべく、伸び縮みするスパイラル体６ａの上部にフック片６ｂを設けた取付部６を設けてある。
【０００７】
上記のように構成した吊り下げホルダー１の使用例について下記に述べる。
例えば、ワイヤー２の他端ＴをキーＫ−−の孔Ｋ１に通した後、保持具５の中空体３の挿入孔３ａ１より挿入（矢印Ｂ１）し、スライド体４のワイヤー差込孔４ａを貫通（矢印Ｂ２）させる。
この状態で、取付部６のフック片６ｂをベルト通しＢＴに係止させ、使用するものである。
なお、キーＫ−−の自重により常に下方に引っ張られていると同時に、圧縮スプリング４ｄにて常に下方に圧縮しており、ベアリング４ｂ−−はテーパー内面３ａ３の下方に位置し、常にワイヤー２の外周を掴んでロック状態になっている。
また、キーＫを交換する場合は、中空状のホルダー本体Ａに設けたボールベアリングによるロック解除具Ａ１を爪（図示せず）で押し込み、スライド体４のテーパー状の頭部４ｅを上方に移動させることにより圧縮スプリング４ｄが上昇し、ベアリング４ｂ−−がテーパー内面３ａ３より離れ、ワイヤー２を開放し、下方より引き抜くことができ、キーＫを取り外し、他のキー等と差し替えるものである。
【０００８】
なお、上記実施例において、中空状のホルダー本体の大きさ・材質・透明（不透明）等は使用する目的により決定すればよい。
また、吊り下げるものはキーのみならず、現場で使用する工具（ドライバーやスパナ等）も使用でき、取付部も輪状・フック状等、色々考えられる。
さらに、取付部は上記実施例の形態に限定せず、ベルト等に係止して取り付けるべく、逆Ｊ形の取付部を設けるのも一考である。
【０００９】
【発明の効果】
１）、保持具の構造により、ワイヤーを差し込むだけで簡単・確実にロックできる。
２）、ロック解除はロック解除具を押し込み、スライド本体を上方へ移動させることにより簡単にロック解除できる。
３）、ロック解除具をボールベアリングにすることにより、簡単な構成でありながら確実にロック解除できる。
４）、スライド本体が中空状のホルダー本体に格納されているため、偶発的なロック解除を防止できる。
５）、吊り下げるもの（キー等）が少ない場合は、ワイヤーの端部を中空状のホルダー本体内に多く入れ込めばよく、多い場合は少なく入れ込めばよく、目的に応じて使用できる。
【図面の簡単な説明】
【図１】本発明の一実施例を示す吊り下げホルダーの正面図。
【図２】本発明の一実施例を示す吊り下げホルダーの断面正面図。
【図３】本発明の一実施例を示す吊り下げホルダーの使用状態を示す一部縦断正面図。
【図４】本発明の一実施例を示す吊り下げホルダーの要部の使用状態を示す縦断正面図。
【符号の説明】
１−−−吊り下げホルダー
２−−−ワイヤー
３−−−中空体
４−−−スライド体
５−−−保持具
６−−−取付部
Ａ１−−ロック解除具
Ｋ−−−キー
【図１】
2004275679.tif 000003
【図２】
2004275679.tif 000004
【図３】
2004275679.tif 000005
【図４】
2004275679.tif 000006